(57)【要約】【課題】本実施形態によれば、データ処理が容易であって、記録データの管理が安定し、且つ接続・離脱に関する物理的な管理も利便性が良いデータ管理装置を提供する。【解決手段】複数の番組を記録可能な第１の記録装置と複数の番組を記録可能な第２の記録装置とをそれぞれ接続・離脱可能な第１と第２の端子を有する。識別部が、前記第１と第２の端子を識別する。記録制御部が前記第１の端子に接続される前記第１の記録装置に対して、前記第１の記録装置に記録される複数のストリームを管理するためのメタデータ、及び前記第２の端子に接続される前記第２の記録装置に記録される複数のストリームを管理するためのメタデータを一括して記録する。【選択図】図１
2014045448.tif 000002
【特許請求の範囲】
【請求項１】
複数の番組を記録可能な第１の記録装置と複数の番組を記録可能な第２の記録装置とをそれぞれ接続・離脱可能な第１と第２の端子と、
前記第１と第２の端子を識別する識別部と、
前記第１の端子に接続される前記第１の記録装置に対して、前記第１の記録装置に記録される複数のストリームを管理するためのメタデータ、及び前記第２の端子に接続される前記第２の記録装置に記録される複数のストリームを管理するためのメタデータを一括して記録する記録制御部と、
を有するデータ管理装置。
【請求項２】
前記識別部は、前記第１の端子に記録装置が接続されていない場合、前記第２の端子を無効に制御する端子動作制御部を含む請求項１記載のデータ管理装置。
【請求項３】
前記メタデータは、録画リスト及び又は過去の番組の番組属性情報を含む請求項１記載のデータ管理装置。
【請求項４】
前記識別部は、前記第１の端子にハブが接続された場合、前記第１の端子を無効に制御する端子動作制御部を含む請求項１記載のデータ管理装置。
【請求項５】
前記第１及び又は第２の端子に記録装置を接続する動作モード設定部は、前記識別部が前記第１の端子に記録装置が接続されていることを認識していない場合、表示制御部を制御し、これに応答した前記表示制御部はユーザ向けのメッセージを出力する請求項１記載のデータ管理装置。
【請求項６】
前記第１及び第２の端子は、ＵＳＢ端子であり、前記第１及び第２の記録装置は、ＵＳＢ接続型のハードディスクドライブである請求項１記載のデータ管理装置。
【請求項７】
複数の番組を記録可能な第１の記録装置と複数の番組を記録可能な第２の記録装置とをそれぞれ接続・離脱可能な第１と第２の端子を有し、制御部の制御が行われるデータ管理方法であって、
前記制御部が、
前記第１と第２の端子を識別し、前記第１の端子に前記第１の記録装置が接続されていない場合、前記第２の端子を無効に制御し、
前記第１の端子に接続される前記第１の記録装置に対して、前記第１の記録装置に記録される複数のストリームを管理するためのメタデータ、及び前記第２の端子に接続される前記第２の記録装置に記録される複数のストリームを管理するためのメタデータを一括して記録する、データ管理方法。
【請求項８】
前記制御部は、前記第１の端子にハブが接続された場合、前記第１の端子を無効に制御する請求項７記載のデータ管理方法。
【請求項９】
前記制御部は、
前記第１の端子に記録装置が接続されていることを認識していない場合、ユーザ向けのメッセージを出力する請求項７記載のデータ管理方法。
【請求項１０】
複数の番組を記録可能な第１のハードディスクドライブと複数の番組を記録可能な第２のハードディスクドライブとをそれぞれ接続・離脱可能な第１と第２のＵＳＢ端子を有し、制御部の制御が行われるテレビジョン受信装置であって、
前記制御部が、
前記第１と第２のＵＳＢ端子を識別し、前記第１のＵＳＢ端子に前記第１のハードディスクドライブが接続されていない場合、前記第２のＵＳＢ端子を無効に制御し、
前記第１のＵＳＢ端子に接続される前記第１のハードディスクドライブに対して、前記第１のハードディスクドライブに記録される複数のストリームを管理するためのメタデータ、及び前記第２のＵＳＢ端子に接続される前記第２のハードディスクドライブに記録される複数のストリームを管理するためのメタデータを一括して記録する、
テレビジョン受信装置。
【発明の詳細な説明】
【技術分野】
【０００１】
本発明の実施形態はデータ管理装置及び方法及びテレビジョン受信装置に関する。
【背景技術】
【０００２】
近年、ハードディスクドライブ（ＨＤＤ）、光ディスク（デジタルバーサタイルディスク：ＤＶＤ，ブルーレイディスク：ＢＤ）等の記録媒体は、記録容量が格段と向上している。これらの記録媒体は、放送番組の番組記録装置に用いられている。放送番組の番組記録装置としては、専用の番組記録装置、テレビジョン受信装置に接続されて使用される番組記録装置がある。さらには、複数のＨＤＤがハブを介して接続可能なテレビジョン受信装置が開発されている。
【０００３】
一方、放送方式として、地上デジタル放送、衛星放送など、各種の放送方式が実現化されている。地上デジタル放送では、同時に複数のチャンネルの信号を伝送することができる。放送番組に関する情報として、新聞や雑誌のテレビ番組表の代わりに、電子番組ガイド（ＥＰＧ）が番組属性情報として放送されている。この番組属性情報は、電話回線などのネットワークを介して取得することも可能である。
【０００４】
また、複数のチャンネルで放送される全ての番組を、複数日に渡って記録できる番組記録装置が発売されている。複数のチャンネルで放送される全ての番組が、複数日に渡って記録された場合、ユーザは、視聴希望の番組を、膨大な数の記録番組の中から選択しなければならない。
【０００５】
特に、複数のＨＤＤがハブを介して接続されたテレビジョン受信装置においては、複数のＨＤＤにそれぞれ記録した番組の各番組リストは、各ＨＤＤに独立して記録されている。このため各ＨＤＤの番組リストが、再生制御部及び表示制御部により、個別に読み出されて表示される。ユーザは、膨大な数の番組のリストの中から、所望の番組を探すことは非常にわずらわしい作業となる。
【０００６】
複数の記録媒体に個別に複数の番組が記録された場合、前記複数の番組の検索情報或いはライブラリー情報を、統一的化して管理する提案が成されている。
【先行技術文献】
【特許文献】
【０００７】
【特許文献１】特開２００２−１５０７５４号公報
【特許文献２】特開２００６−９２７１１号公報
【特許文献３】特開２００６−２２９８２４号公報
【発明の概要】
【発明が解決しようとする課題】
【０００８】
しかしながら、テレビジョン受信装置に複数のＨＤＤを並列的に接続・離脱可能とし、いずれのＨＤＤに対しても番組を記録可能な方式とした場合、上記した検索情報或いはライブラリー情報の利便的な管理方法が要望される。
【０００９】
そこで本実施形態では、データ処理が容易であって、記録データの管理が安定し、且つ接続・離脱に関する物理的な管理も利便性が良いデータ管理装置及び方法及びテレビジョン受信装置を提供することを目的とする。
【課題を解決するための手段】
【００１０】
本実施形態によれば、複数の番組を記録可能な第１の記録装置と複数の番組を記録可能な第２の記録装置とをそれぞれ接続・離脱可能な第１と第２の端子と、
前記第１と第２の端子を識別する識別部と、
前記第１の端子に接続される前記第１の記録装置に対して、前記第１の記録装置に記録される複数のストリームを管理するためのメタデータ、及び前記第２の端子に接続される前記第２の記録装置に記録される複数のストリームを管理するためのメタデータを一括して記録する記録制御部と、を有する。
【図面の簡単な説明】
【００１１】
【図１】実施形態の構成の一例を示す図である。
【図２】テレビジョン受信装置１００を背面側から見た場合と、側面から見た場合の外観を示す図である。
【図３】図１の識別部２５６の動作例を示すフローチャートである。
【図４】本実施形態におけるテレビジョン受信装置の画面の表示例を示す説明図である。
【図５】ＵＳＢ端子３Ａに接続された第１のＨＤＤのデータ記録領域の状態と、ＵＳＢ端子３Ｂに接続された第２のＨＤＤのデータ記録領域の状態を示す図である。
【発明を実施するための形態】
【００１２】
以下、実施の形態について図面を参照して説明する。まず本実施形態では、テレビジョン受信装置が代表して説明される。しかし本発明は、必ずしもテレビジョン受信装置に限定されるものではなく、専用の記録装置、パーソナルコンピュータ、携帯端末などにも適用可能である。
【００１３】
図１は、本発明が適用されたテレビジョン受信装置の概略構成を示している。１０２は、デジタルチューナ装置であり、複数のチューナが内蔵されており、同時に複数のチャンネルを受信し、複数の放送番組を復調することができる。チューナ装置１０２には、入力端子を介してアンテナで受けられた高周波信号が入力される。チューナ装置１０２は例えばＢＳ／ＣＳデジタル放送受信用のチューナ（図示せず）を含んでも良い。
【００１４】
入力端子ＢＮ１は、外部入力端子であり、ケーブル或いはネットワーク或いは他の機器からの信号が入力する。
【００１５】
チューナ装置１０２で受信された放送番組の信号及び外部入力端子ＢＮ１からの信号は、ＴＳ処理部１２２に入力される。複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記録制御部２５５の制御の元で、記録装置１１１に入力される。またＴＳ処理部１２２に入力したＴＳの中で、制御情報を含むパケットは、制御部２００に入力されて処理される。
【００１６】
記録装置１１１は、ここでは一括したブロックで示しており、例えば、複数のハードディスクドライブ（ＨＤＤ）、光ディスク記録再生装置、ＵＳＢメモリなどを含む。光ディスクにはデジタルバーサタイルディスク（ＤＶＤ）、ブルーレイディスク（ＢＤ）などが含まれる。
【００１７】
記録制御部２５５は、ＵＳＢ接続形式をとる記録装置に対しては、ＵＳＢ端子３Ａ，３Ｂ，３Ｃ及び３Ｄを介して相互にデータをやり取りすることができる。端子４１，４２は、例えばＤＶＤ記録再生装置用と、ＢＤ記録再生用の端子である。
【００１８】
ＴＳ処理部１２２から制御部２００に送られるパケットは、例えば、放送番組の暗号化情報であるＥＣＭ（Entitlement Control Message）と、番組名、出演者、番組開始時刻などのイベント情報を記述したテーブルであるＥＩＴ（Event Information Table）などの情報、ＥＰＧ（Electric Program Guide：電子番組ガイド）情報を含む。ＥＰＧ情報はスポンサー情報を含む場合もある。
【００１９】
パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ  方式、ＭＰＥＧ方式などでエンコードされている。
【００２０】
したがって、ＴＳ処理部１２２で分離されたオーディオパケットは、オーディオデコーダ１２３に入力される。オーディオデコーダ１２３で、パケット内のデータは、符号化方式に応じて復号化される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカシステム１２６に供給する。
【００２１】
ＴＳ処理部１２２で分離された映像パケットは、映像デコーダ１３１に入力される。映像デコーダで、パケットのデータは符号化方式に応じて復号化される。映像デコーダ１３１でデコードされた映像データは、映像データ処理部１３２で、同期処理、輝度調整、色調整などが実施される。映像データ処理部１３２の出力は、映像出力部１３３に供給される。映像出力部１３３は、制御部２００からオンスクリーンディスプレイ（ＯＳＤ）部２４０を介して入力されるデータ、図形、番組表などをメイン映像信号に多重することができる。
【００２２】
また映像出力部１３３は、出力映像信号に対して表示器１００Ａに応じたスケール、解像度、ライン数、アスペクト比などを設定して、表示器１００Ａに向けて出力する。
【００２３】
なお、有料番組のオーディオパケット、映像パケットが暗号化されている場合もある。この場合、鍵情報を用いて暗号化を解くための処理系統もあるがここでは省略している。
【００２４】
制御部２００は、中央演算処理ユニット（ＣＰＵ）２０１、操作コマンド処理部２０２、通信制御部２０３、操作デバイス管理部２０４、ＥＰＧ(Electric program guide)データ処理部２０６、メモリ２１１、表示制御部２１２を含む。更に又制御部２００は、記録制御部２５５、識別部２５６、ユーザ嗜好抽出部２５７も含む。
【００２５】
ＣＰＵ２０１は、制御部２００の全体の動作シーケンスの調整を行っている。
【００２６】
操作コマンド処理部２０２は、外部から入力する操作コマンドを解析し、コマンドに応じた動作をテレビジョン受信装置１００に反映させることができる。
【００２７】
操作デバイス管理部２０４は、制御部２００に対して操作信号を与える携帯端末５００，５０１、リモートコントローラ１１５などのデバイス識別データを把握し、入力受付、受付拒否などの管理することができる。
【００２８】
通信制御部２０３は、外部との通信を行い、操作コマンド、データ、コンテンツ、などを取り込むことができる。取り込まれたコンテンツ、及びデータは、例えば記憶装置１１１、或いはメモリ２１１に格納されることができる。通信制御部２０３は、テレビジョン受信装置１００から外部に向けて、データ、コンテンツ、などを送信することができる。
【００２９】
また通信制御部２０３は、無線通信送受信部１１３、有線通信送受信部１１２と接続されている。有線通信送受信部１１２は、インターネットを介して、遠隔サーバー、或いはホームサーバーとの間でデータの送受信を行うことができる。無線通信送受信部１１３は、複数の携帯端末５００、５０１との間でデータ、コンテンツ等の送受信を行うことができ、近距離通信用である。携帯端末５００、５０１は、テレビジョン受信装置１００をリモートコントロールすることもできる。また、テレビジョン受信装置１００は、リモートコントローラ１１５からの操作信号を、赤外線受信部１１４を介して受け取ることもできる。
【００３０】
ＥＰＧ処理部２０６は、ＴＳに含まれるパケットから番組属性情報を取り出して蓄積することで、例えば過去１ヶ月分、現在、及び未来１か月分の番組の番組属性情報を保持している。この番組属性情報は、例えば１日毎に更新される。
【００３１】
メモリ２１１は、制御部２００内で保存する各種のデータ、アプリケーションなどを保存することができる。番組属性情報としては、例えば次のような情報がある。また記録済み番組の番組属性情報は、（１）タイトル情報、（２）放送開始日時、（３）番組長、（４）放送局名、（５）ジャンル情報、（６）放送局ＩＤ、その他、製作者、出演者などの情報が含まれることもある。
【００３２】
表示制御部２１２は、映像出力部１３３を介して表示器１００Ａに表示される映像信号を全般的に制御することができる。また表示制御部２１２は、画像信号の解像度、表示サイズ、表示エリアなどの調整処理を行うこともできる。また、ＥＰＧデータを用いて作成した番組表の映像信号や、操作信号に応じて制御部２００内で作成されたメニュー映像信号を映像出力部１３３に供給することができる。さらにまた、表示制御部２１２は、テレビジョン受信装置の動作状況に応じて、警告などの各種メッセージを表示器１００Ａに向けて出力することもできる。
【００３３】
携帯端末５００、５０１は、図示しない基地局、インターネットなどを介してサーバーをアクセスすることができる。サーバーが提供するコンテンツは勿論のこと、各種のアプリケーション、ゲームソフトなどをダウンロードし、無線通信送受信部１１３を介して、制御部２００に転送することが可能である。また携帯端末５００、５０１は、コンテンツを取得するための情報（例えばウェブサーバーのアドレス、メールアドレス、ネットワークアドレスなど）を、無線通信送受信部１１３を介して、制御部２００に転送することが可能である。
【００３４】
携帯端末５００や５０１からコンテンツ、アプリケーション、或いはゲームソフトが転送されてくるときは、通信制御部２０３が動作する。
【００３５】
通信制御部２０３は、受け取ったコンテンツをメモリ２１１に格納する。コンテンツは、操作コマンドに応じて、或いは自動的に記憶装置１１１に格納されてもよい。記憶装置１１１は、受け取ったコンテンツを例えばハードディスクに記録させることができる。ハードディスクにおいては、コンテンツはコンテンツファイルとして管理される。
【００３６】
メニュー映像信号、番組表の映像信号などは、表示処理部２１２にて格納及びまたは管理されている。メニューの表示、番組表の表示が行われるときは、メニュー画像データ、番組表データが、ＣＰＵ２０１の制御に基づき、データ格納部（メモリ或いはハードディスク）から読み出され、表示処理部２１２に供給される。これにより、メニューや番組表の画像が表示器１００Ａに表示される。
【００３７】
メニュー映像信号、番組表の映像信号などは、携帯端末５００或いは５０１に送信されることもできる。携帯端末５０１或いは５０２がメニュー、番組表などを要求した場合、ＣＰＵ２０１の制御に基づき表示処理部２１２は、メニューの映像信号、番組表の映像信号を送信することができる。
【００３８】
携帯端末５０１或いは５０２は、メニュー、番組表をタッチ式パネルの画面に表示することができ、ユーザは、タッチ（或いはポイント）式パネルの画面に表示された操作ボタンに触れることにより、テレビジョン受信装置に動作指令信号を与えることができる。後述するように、ユーザは、携帯端末５０１或いは５０２を利用して、番組表、キーワードに関連するデータ処理を実行させることができる。
【００３９】
識別部２５６は、ＵＳＢ端子ＵＳＢ端子３Ａ，３Ｂ，３Ｃ及び３Ｄ、４１及び４２の識別を行い、端子機能の設定などを管理している。
【００４０】
ユーザ嗜好抽出部３６７は、記録装置１１１内の複数のハードディスクドライブに記録されている多数の番組の中から、ユーザの好みの番組のリストを作成することができる。
【００４１】
記録制御部２５５は、ＵＳＢ端子３Ａに接続される第１のＨＤＤに対して、前記第１のＨＤＤに記録される複数のストリームを管理するためのメタデータ、及びＵＳＢ端子３Ｂに接続される第２のＨＤＤに記録される複数のストリームを管理するためのメタデータを一括して記録することができる。
【００４２】
図２は、テレビジョン受信装置１００を背面側から見た図と、側面から見た図を示している。本実施形態における装置は、上記したように複数のＵＳＢ端子３Ａ，３Ｂ，３Ｃ，及び３Ｄを有する。
【００４３】
ＵＳＢ端子３Ａ，３Ｂは、複数のチャンネル（例えば６チャンネル）で放送される全ての番組を、複数日（例えば７日）に渡って記録できる番組記録装置１１１Ａ，１１１Ｂを接続するために利用される。ＵＳＢ端子３Ｃは、通常の操作に基づく操作指令、或いは録画予約データに基づいて指定されている番組が記録される番組記録装置を接続するために利用される。ＵＳＢ端子３Ｃは、ハブ１１１０を介して番組記録装置１１１１−１１１４が接続されることを許している。ハブ１１１０を介して接続される番組記録装置１１１１−１１１４は、例えば、家族内の父親用、母親用、子供用などとして使い分けることができる。
【００４４】
ＵＳＢ端子３Ｄは、汎用ＵＳＢ端子であり、例えばカメラで撮影した画像データを格納しているＵＳＢメモリ１１１６を接続することができる。ＵＳＢメモリ１１６の画像データが表示器でされることができる。
【００４５】
上記の番組記録装置１１１Ａ，１１１Ｂ，１１１１−１１１４は、例えばハードディスクドライブ（ＨＤＤ）であるが、他の記録媒体であっても構わない。
【００４６】
このように、複数のチャンネル（例えば６チャンネル）で放送される全ての番組を、複数日（例えば７日）に渡って記録するための構成要素を総合して、タイムシフトマシンと称することができる。またタイムシフトマシンにより、記録された複数の番組は、現時点よりも過去に記録された番組である。タイムシフトマシンにより番組が記録されることを「タイムシフト録画」と称することができる。タイムシフトマシンにより記録される番組数は膨大な数となる。したがって、タイムシフトマシンに用いられるＨＤＤの記憶容量は大きければ大きいほど好ましい。
【００４７】
そのために、タイムシフトマシンに用いられるＨＤＤは、上記のようにテレビジョン受信装置１００の外部に配置される。従来は、テレビジョン受信装置の内部に配置される固定された内蔵ＨＤＤであった。しかし、内蔵ＨＤＤであると、記憶容量の大きいＨＤＤが開発された際に、内蔵ＨＤＤを交換することが困難である。このための、ユーザが容易にＨＤＤを交換できるシステムが好ましい。そこで上記したように、容量の大きなＨＤＤが開発された際、ユーザが容易に交換できるように、外部接続方式としている。
【００４８】
さらにタイムシフトマシンによる記録を行うためのＨＤＤを複数用いることができるように、ＵＳＢ端子３Ａ，３Ｂを設けているが、さらに増設されてもよい。
【００４９】
図３は、識別部２５６の動作例を示すフローチャートである。識別部２５６は、ＵＳＢ端子３Ａ，３Ｂの状態を識別するとともに、端子動作制御部を含む。テレビジョン受信装置１００の主電源オン時に、ＵＳＢ端子３ＡにＨＤＤが接続されているかどうかを判定する（ステップＳＡ１）。ＵＳＢ端子３ＡにＨＤＤが接続されている場合は、他のＵＳＢ端子３Ｂを使用可能に設定する（ステップＳＡ２）。しかしＵＳＢ端子３ＡにＨＤＤが接続されていない場合は、ＵＳＢ端子３Ａにハブが接続されているかどうかを判定する（ステップＳＡ３）。ハブが接続されていた場合、ＵＳＢ端子３Ａ，３Ｂを使用不可能に設定する（ステップＳＡ４）。ＵＳＢ端子３Ａにハブが接続されていない場合、他のＵＳＢ端子使用不可能に設定する（ステップＳＡ６）。ステップＳＡ４，ＳＡ６の処理を実施した後は、それぞれの状態、つまり現在の状態を表示器１００Ａにメッセージを出力する。
【００５０】
メッセージとしては、例えば、「ＵＳＢ端子Ａにタイムシフト録画用のＵＳＢハードディスクを接続してください」というようなメッセージである。
【００５１】
このメッセージは、テレビジョン受信装置１００において、タイムシフトマシンを活用するタイムシフト録画を実行するための「設定」が成されているときにも出力される。つまりこの「設定」が行われるとＵＳＢ端子３Ａ，３Ｂの状態をチェックするために識別部２５６が動作するようになる。つまり上記の動作フローは、タイムシフトマシン録画の設定時にも実施される。
【００５２】
図４（Ａ）には、タイムシフト録画を「設定」するときのメニュー画像の様子を示している。全体メニュー画像（図示せず）から、「タイムシフトマシン録画設定」という項目をクリックすると、「タイムシフトマシン録画設定」のために、複数の項目を有するメニュー画像１２０１が表示される。
【００５３】
ユーザが、「タイムシフトマシン録画」１２０１という項目を選択して、決定ボタンを押すと、識別部２５６が動作する。メニュー画像１２０１の中に、「ＵＳＢハードディスク設定」という項目がある。
【００５４】
もし、ＵＳＢ端子３ＡにＨＤＤが接続されていない場合、「ＵＳＢハードディスク設定」という項目がハイライトされ、先と同様に、メッセージとして「ＵＳＢ端子Ａにタイムシフト録画用のＵＳＢハードディスクを接続してください」というメッセージが表示される。一方、「タイムシフトマシン録画」の項目はグレー表示となり、タイムシフト録画が設定できていないことを表す。
【００５５】
続いて図４（Ｂ）に示すように、「タイムシフト録画用機器を確認して、しばらく待ってからもう一度操作して下さい。」というメッセージが現れる。ユーザは決定ボタンを押して、ＨＤＤをＵＳＢ端子３Ａに接続し、再度、全体メニュー画像から、「タイムシフトマシン録画設定」という項目をクリックする。この後は、図４（Ａ）のメニュー画像１２０１の中「タイムシフトマシン録画」と言う項目をクリックし、タイムシフトマシン録画機能を設定することができる。
【００５６】
上記のメニュー画像の各項目を選択或いはクリックする場合には、ユーザは例えばリモートコントローラを操作し、画面上のカーソルを所望の項目上に移動させて、決定ボタンを押すことで選択できる。上記したメニュー画像の構成は一例であり、そのほか種々の形態のメニュー画像が考えられることは勿論である。
【００５７】
次に、複数の番組が記録媒体に記録された場合、複数の番組を管理するためのメタデータが必要である。メタデータは、番組を提供した放送局ＩＤ、放送チャンネル、放送日、放送時間帯（放送開始、終了時間）、番組時間長、番組名、出演者情報、記録位置情報などを含む。
【００５８】
メタデータは、番組サーチ、嗜好番組抽出などに利用される。本装置の場合は、特定のＵＳＢ端子として設定されたＵＳＢ端子３Ａに接続されるＨＤＤに、端子３Ｂに接続されるＨＤＤに記録された番組のメタデータも記録される。つまり本実施形態では、タイムシフトマシン録画される番組のためのメタデータは、すべてＵＳＢ端子３Ａ側のＨＤＤに記録される。
【００５９】
この結果、メタデータを利用して、番組サーチを行う場合、１箇所のメタデータを読み出して番組全体のために利用できる。よって、メタデータのアクセスが便利である。
【００６０】
図５には、ＵＳＢ端子３Ａに接続された第１のＨＤＤのデータ記録領域の状態と、ＵＳＢ端子３Ｂに接続された第２のＨＤＤのデータ記録領域の状態を示している。第２のＨＤＤのデータ記録領域は、コンテンツ（番組或いはストリームと称しても良い）で占められている。第１のＨＤＤのデータ記録領域は、コンテンツ（番組或いはストリームと称しても良い）の領域と、メタデータの領域が確保されている。メタデータには、先にも説明したように、第１と第２のＨＤＤに記録されているコンテンツを管理するためのデータが含まれている。
【００６１】
なおタイムシフトマシン録画では、例えば７日分の複数チャンネルの複数番組が、ＨＤＤに記録される。しかし、７日を越える番組については、特別な保存指定（消去禁止、殿堂入りなどの指定）が無い限り、古い番組から順次削除される。
【００６２】
上記の説明でタイムシフトマシン録画を行うための端子として、２つのＵＳＢ端子３Ａ，３Ｂを示したが、この数は２つに限定されるものではない。さらに第３のＵＳＢ端子が増設されてもよい。
【００６３】
上記した説明において、検出手段、制御手段、通信手段など用語において「部」は、「装置」、「器」、「ブロック」及び「モジュール」に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【００６４】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
３Ａ−３Ｄ・・・ＵＳＢ端子，１００・・・テレビジョン受信装置、１１１・・・記録装置、２００・・・制御部、２１２・・・表示制御部、２５・・・記録制御部、２５６・・・識別部、２５７・・・ユーザ嗜好番組抽出部。
【図１】
2014045448.tif 000003
【図２】
2014045448.tif 000004
【図３】
2014045448.tif 000005
【図４】
2014045448.tif 000006
【図５】
2014045448.tif 000007